(57)【特許請求の範囲】
【請求項１】
鋼製枠材と構造用面材としての薄鋼板製折板とを備えた鋼製パネルにおいて、薄鋼板製折板における表面側の凹部と裏面側の凹部とに、ホースまたは管を折板巾方向全長に亘り這わせるように設けると共に、折板巾方向端部で折り返して、薄鋼板製折板の長さ方向で、前記ホースまたは管が交互に表側または裏側となるように設けたことを特徴とする冷暖房用鋼製パネル。
【請求項２】
鋼製パネルの片面に断熱材を介して外装材を備え、鋼製パネルの他方の片面に内装材を備えた耐力壁パネルとしたことを特徴とする請求項１に冷暖房用鋼製パネル。
【請求項３】
鋼製パネルにおける折板の上側に床仕上げ材を備え、鋼製パネルにおける鋼製枠材の下側に断熱材を備えた床パネルとしたことを特徴とする請求項１に冷暖房用鋼製パネル。
【請求項４】
鋼製パネルにおける折板の下側に天井仕上げ材を備え、枠材の上側に床仕上げ材を備えた床パネルとしたことを特徴とする請求項１に冷暖房用鋼製パネル。
【請求項５】
鋼製パネルにおける折板の上側に断熱材を介して屋根仕上げ材を備えた屋根パネルとしたことを特徴とする請求項１に冷暖房用鋼製パネル。
【請求項６】
薄鋼板製折板が室内側に配置され、薄鋼板製折板が室内側に露出または仕上げ用の内装材により覆われ、熱媒体が流されたホースまたは管から熱伝達された薄鋼板製折板により、室内側に輻射熱を輻射可能な請求項１〜５のいずれか１項に記載の冷暖房用鋼製パネル。
【請求項７】
薄鋼板製折板の室外側に断熱材が設置されて、熱媒体が流されたホースまたは管から熱伝達された薄鋼板製折板からの輻射熱が室外側に放出されるのを防止するようにしたことを特徴とする請求項１〜６のいずれか１項に記載の冷暖房用鋼製パネル。
【請求項８】
請求項１〜７のいずれか１項の冷暖房用鋼製パネルを備えた建築物における鋼製パネルのホースまたは管に熱媒体を流し、ホースまたは管から薄鋼板製折板に熱伝達し、薄鋼板製折板に蓄熱された冷温熱を、薄鋼板製折板から建物の室内に輻射することにより、室内の温熱環境を安定させるようにしたことを特徴とする冷暖房用鋼製パネルを備えた建築物の冷暖房システム。
【請求項９】
鋼製パネルのホースまたは管は、ヒートポンプに接続され、そのヒートポンプを介して、地中または空気中に放熱、または地中または空気中から採熱可能にされていることを特徴とする請求項８に記載の冷暖房用鋼製パネルを備えた建築物の冷暖房システム。
【請求項１０】
ヒートポンプは、太陽電池パネルを用いた発電により駆動されることを特徴とする請求項８または９に記載の冷暖房用鋼製パネルを備えた建築物の冷暖房システム。
【請求項１１】
薄鋼板製折板における表面側の凹部と裏面側の凹部とに、ホースまたは管を折板巾方向全長に亘り這わせるように設けると共に、折板巾方向端部で折り返すことにより折板に配管用の孔を開設しないことで、折板を面材として用いた冷暖房用鋼製パネルを備えた壁、床または屋根の面内せん断耐力を低下させないようにしたことを特徴とする請求項７〜１０のいずれか１項に記載の冷暖房用鋼製パネルを備えた建築物の冷暖房システム。
【請求項１２】
請求項８〜１１のいずれか１項の冷暖房用鋼製パネルを備えた建築物の冷暖房システムを利用可能にされていることを特徴とする建築物。
【発明の詳細な説明】
【技術分野】
【０００１】
本発明は、薄鋼板製折板を備えた鋼製パネルに関し、特に冷暖房用鋼製パネル及びこれを用いた建築物の冷暖房システム並びに建築物に関する。
【背景技術】
【０００２】
従来、鋼製枠材に構造用面材としての薄鋼板製折板を配置して、その薄鋼板製折板の周縁部をドリルねじにより固定した鋼製パネルが知られている。また、薄鋼板製折板付き鋼製パネルを耐力壁等に使用した、建築物も知られている（例えば、特許文献１参照）。
【０００３】
また、表面に多数の突起状のフィンを備えた冷却パネルも知られている（例えば、特許文献２、３参照）。
【先行技術文献】
【特許文献】
【０００４】
【特許文献１】特開２００９−２０９５８２号公報
【特許文献２】特開２００６−１５３４３１号公報
【特許文献３】特開２００７−２８５６４３号公報
【特許文献４】特開２００６−８４１４９号公報
【特許文献５】特開２００５−３３６８１５号公報
【発明の概要】
【発明が解決しようとする課題】
【０００５】
鋼製枠材に構造用面材としての薄鋼板製折板を配置して、その薄鋼板製折板の周縁部をドリルねじにより固定した鋼製パネルを用いた建築物を冷暖房する場合には、パネル内に配管されていないので、別個に冷暖房設備（例えば、室外器および室内器）を設けるようになる。
前記のような別個の冷暖房設備を設けた場合には、壁等に貫通孔を設けて室内側に断熱された配管および室内器を設置する必要があるので、室内側にデッドスペースを生じると共に室内景観が悪くなるという問題がある。
前記のような別個の冷暖房設備を設けた場合には、壁等に貫通孔を設けて室内側に断熱された配管および室内器を設置する必要があるので、薄鋼板製折板を壁、床または屋根の面内せん断耐力抵抗部材の面材として利用した場合に、折板に配管孔をあけることになり、壁、床または屋根の耐力を低下させるという問題がある。
さらに、配管が室内〜室外に貫通することによりエネルギーロスが生じる。このエネルギーロスを緩和するために、配管や配管孔を断熱材で覆うといった断熱補強が必要となる。
本発明は前記の課題を有利に解消した冷暖房用鋼製パネル及びこれを用いた建築物の冷暖房システム並びに建築物を提供することを目的とする。
【課題を解決するための手段】
【０００６】
第１発明の冷暖房用鋼製パネルでは、鋼製枠材と構造用面材としての薄鋼板製折板とを備えた鋼製パネルにおいて、薄鋼板製折板における表面側の凹部と裏面側の凹部とに、ホースまたは管を折板巾方向全長に亘り這わせるように設けると共に、折板巾方向端部で折り返して、薄鋼板製折板の長さ方向で、前記ホースまたは管が交互に表側または裏側となるように設けたことを特徴とする。
また、第２発明では、第１発明の冷暖房用鋼製パネルにおいて、鋼製パネルの片面に断熱材を介して外装材を備え、鋼製パネルの他方の片面に内装材を備えた耐力壁パネルとしたことを特徴とする。
第３発明では、第１発明の冷暖房用鋼製パネルにおいて、鋼製パネルにおける折板の上側に床仕上げ材を備え、鋼製パネルにおける鋼製枠材の下側に断熱材を備えた床パネルとしたことを特徴とする。
第４発明では、第１発明の冷暖房用鋼製パネルにおいて、鋼製パネルにおける折板の下側に天井仕上げ材を備え、枠材の上側に床仕上げ材を備えた床パネルとしたことを特徴とする。
第５発明では、第１発明の冷暖房用鋼製パネルにおいて、鋼製パネルにおける折板の上側に断熱材を介して屋根仕上げ材を備えた屋根パネルとしたことを特徴とする。
第６発明では、第１〜第５発明のいずれかに記載の冷暖房用鋼製パネルにおいて、薄鋼板製折板が室内側に配置され、薄鋼板製折板が室内側に露出または仕上げ用の内装材により覆われ、熱媒体が流されたホースまたは管から熱伝達された薄鋼板製折板により、室内側に輻射熱を輻射可能にされていることを特徴とする。
第７発明では、第１〜第６発明のいずれかに記載の冷暖房用鋼製パネルにおいて、薄鋼板製折板の室外側に断熱材が設置されて、熱媒体が流されたホースまたは管から熱伝達された薄鋼板製折板からの輻射熱が室外側に放出されるのを防止するようにしたことを特徴とする。
第８発明の冷暖房用鋼製パネルを備えた建築物の冷暖房システムでは、第１〜第７発明のいずれかの冷暖房用鋼製パネルを備えた建築物における鋼製パネルのホースまたは管に熱媒体を流し、ホースまたは管から薄鋼板製折板に熱伝達し、薄鋼板製折板に蓄熱された冷温熱を、薄鋼板製折板から建物の室内に輻射することにより、室内の温熱環境を安定させるようにしたことを特徴とする。
第９発明では、第８発明の冷暖房用鋼製パネルを備えた建築物の冷暖房システムにおいて、鋼製パネルのホースまたは管は、ヒートポンプに接続され、そのヒートポンプを介して、地中または空気中に放熱、または地中または空気中から採熱可能にされていることを特徴とする。
第１０発明では、第８発明または第９発明の冷暖房用鋼製パネルを備えた建築物の冷暖房システムにおいて、ヒートポンプは、太陽電池パネルを用いた発電により駆動されることを特徴とする。
第１１発明では、請求項７〜１０のいずれかに記載の冷暖房用鋼製パネルを備えた建築物の冷暖房システムにおいて、薄鋼板製折板における表面側の凹部と裏面側の凹部とに、ホースまたは管を折板巾方向全長に亘り這わせるように設けると共に、折板巾方向端部で折り返すことにより折板に配管用の孔を開設しないことで、折板を面材としたとして用いた冷暖房用鋼製パネルを備えた壁、床または屋根の面内せん断耐力を低下させないようにしたことを特徴とする。
第１２発明の建築物では、第８〜第１１発明のいずれかの冷暖房用鋼製パネルを備えた建築物の冷暖房システムを利用可能にされていることを特徴とする。
【発明の効果】
【０００７】
第１発明によると、鋼製枠材と構造用面材としての薄鋼板製折板とを備えた鋼製パネルにおいて、薄鋼板製折板における表面側の凹部と裏面側の凹部とに、ホースまたは管を折板巾方向全長に亘り這わせるように設けると共に、折板巾方向端部で折り返して、薄鋼板製折板の長さ方向で、前記ホースまたは管が交互に表側または裏側となるように設けたので、薄鋼板折板の凹凸を巧みに利用して薄鋼板製折板を冷却または昇温させることためのホースまたは管を容易に配置して管路を形成することができ、簡単な構造の冷暖房用鋼製パネルとすることができる等の効果が得られる。
第２発明によると、第１発明の冷暖房用鋼製パネルにおいて、鋼製パネルの片面に断熱材を介して外装材を備え、鋼製パネルの他方の片面に内装材を備えた耐力壁パネルとしたので、第１発明の効果に加えて、さらに壁外側からの断熱効果を有しかつ室内側の冷暖房効果の高い耐力壁パネルとすることができる効果が得られる。
第３発明によると、第１発明の冷暖房用鋼製パネルにおいて、鋼製パネルにおける折板の上側に床仕上げ材を備え、鋼製パネルにおける鋼製枠材の下側に断熱材を備えた床パネルとしたので、第１発明の効果に加えて、さらに床下側からの断熱効果を有しかつ室内側の冷暖房効果の高い床パネルとすることができる効果が得られる。
第４発明によると、第１発明の冷暖房用鋼製パネルにおいて、鋼製パネルにおける折板の下側に天井仕上げ材を備え、枠材の上側に床仕上げ材を備えた床パネルとしたので、第１発明の効果に加えて、さらに上階側または下階側の室内の冷暖房効果の高い床パネルとすることができる効果が得られる。
第５発明によると、第１発明の冷暖房用鋼製パネルにおいて、鋼製パネルにおける折板の外側に断熱材を介して屋根仕上げ材を備えた屋根パネルとしたので、第１発明の効果に加えて、さらに屋根側からの断熱効果を有しかつ室内側の冷暖房効果の高い屋根パネルとすることができる効果が得られる。
第６発明によると、第１〜第５発明のいずれかに記載の冷暖房用鋼製パネルにおいて、薄鋼板製折板が室内側に配置され、薄鋼板製折板が室内側に露出または仕上げ用の内装材により覆われ、熱媒体が流されたホースまたは管から熱伝達された薄鋼板製折板により、室内側に輻射熱を輻射可能にされているので、ホースまたは管が這わされた薄鋼板製折板を有効に利用して冷暖房することができる効果が得られる。
第７発明によると、第１〜第６発明のいずれかに記載の冷暖房用鋼製パネルにおいて、薄鋼板製折板の室外側に断熱材が設置されて、熱媒体が流されたホースまたは管から熱伝達された薄鋼板製折板からの輻射熱が室外側に放出されるのを防止するようにしたので、単に薄鋼板製折板の室外側に断熱材を配置するだけで、熱エネルギーの損出の少ない冷暖房効果の高い冷暖房用鋼製パネルとすることができる等の効果が得られる。
第８発明によると、第１〜第７発明のいずれかの冷暖房用鋼製パネルを備えた建築物における鋼製パネルのホースまたは管に熱媒体を流し、ホースまたは管から薄鋼板製折板に熱伝達し、薄鋼板製折板に蓄熱された冷温熱を、薄鋼板製折板から建物の室内に輻射することにより、室内の温熱環境を安定させるようにしたので、簡単な構造の冷暖房用鋼製パネルにおける薄鋼板製折板の広い面積を利用して室内側へ輻射することができるので、室内の温熱環境を安定させることができる。また、広い面積の薄鋼板製折板を利用して室内側との熱伝達することもできるため、より一層、室内の温熱環境を安定させることができる。
第９発明によると、第８発明の冷暖房用鋼製パネルを備えた建築物の冷暖房システムにおいて、鋼製パネルのホースまたは管は、ヒートポンプに接続され、そのヒートポンプを介して、地中または空気中に放熱、または地中または空気中から採熱可能にされているので、熱容量が大きく温度が安定している地中または空気中の大気を熱源として利用して建物物室内の冷暖房を行うことができるため、自然環境に優しい冷暖房システムとすることができる効果が得られる。
第１０発明によると、第８発明または第９発明の冷暖房用鋼製パネルを備えた建築物の冷暖房システムにおいて、ヒートポンプは、太陽電池パネルを用いた発電により駆動されるので、二酸化炭素を発生する燃料を使用しないで発電することができ、そのため、自然環境に優しい冷暖房システムとすることができる効果が得られる。
第１１発明によると、第７〜第１０発明のいずれかに記載の冷暖房用鋼製パネルを備えた建築物の冷暖房システムにおいて、薄鋼板製折板における表面側の凹部と裏面側の凹部とに、ホースまたは管を折板巾方向全長に亘り這わせるように設けると共に、折板巾方向端部で折り返すことにより折板に配管用の孔を開設しないことで、折板を面材として用いた冷暖房用鋼製パネルを備えた壁、床または屋根の面内せん断耐力を低下させない効果が得られる。さらに、従来のように、壁、床、屋根に配管用の貫通孔を設けて室内側に断熱された配管および室内器を設置する場合には、室内側にデッドスペースを生じると共に室内景観が悪くなるという問題や、配管が室内〜室外に貫通することによるエネルギーロスや断熱補強の必要性の問題が解決できる。
第１２発明の建築物によると、第８〜第１１発明のいずれかの冷暖房用鋼製パネルを備えた建築物の冷暖房システムを利用可能にされているので、簡単な構造の冷暖房用鋼製パネルにおける薄鋼板製折板の広い面積を利用して室内側へ輻射することができる建築物とすることができ、そのため、室内の温熱環境を安定させることができる建築物とすることができる。また、広い面積の薄鋼板製折板を利用して室内側との熱伝達することもできるため、より一層、室内の温熱環境を安定させることができる建築物とすることができる。
【図面の簡単な説明】
【０００８】
【図１】本発明の第１実施形態の冷暖房用鋼製耐力壁パネルのユニットを示すものであって、（ａ）は内装材を取り外して示す正面図、（ｂ）は（ａ）のａ−ａ線断面図、（ｃ）は（ａ）の平面図である。
【図２】本発明の冷暖房用鋼製パネルのユニットの基本形態を示すものであって、（ａ）は正面図、（ｂ）は（ａ）のｂ−ｂ線断面図、（ｃ）は（ａ）の平面図である。
【図３】外装材寄りに折り板および配管を配置した形態で、本発明の第２実施形態の冷暖房用鋼製耐力壁パネルのユニットを示す断面図である。
【図４】本発明の第１実施形態の冷暖房用鋼製耐力壁パネルのユニットにおける配管を固定する形態を示すものであって、（ａ）は内装材を取り外して示す正面図、（ｂ）は（ａ）のａ−ａ線断面図、（ｃ）は（ａ）の平面図である。
【図５】本発明の第３実施形態の冷暖房用鋼製床パネルのユニットを示すものであって、（ａ）は正面図、（ｂ）は（ａ）の断面図である。
【図６】本発明の第４実施形態の冷暖房用鋼製屋根パネルのユニットを示すものであって、（ａ）は正面図、（ｂ）は（ａ）の断面図である。
【図７】本発明の第５実施形態の冷暖房用鋼製床パネルのユニットを示すものであって、（ａ）は正面図、（ｂ）は（ａ）の断面図である。
【図８】本発明の冷暖房用鋼製パネルのユニットを多数用いたスチールハウス建物の冷暖房システムを説明するための説明図である。
【図９】本発明の冷暖房用鋼製パネルのユニットを備えた建築物および冷暖房システムの説明図である。
【図１０】本発明の冷暖房用鋼製パネルのユニットを備えた他の形態の建築物の説明図である。
【図１１】本発明の第１実施形態の冷暖房用鋼製耐力壁パネルのユニットを示すものであって、（ａ）は内装材を取り外して示す正面図、（ｂ）は（ａ）のｅ−ｅ線断面図、（ｃ）は（ａ）の平面図である。
【発明を実施するための形態】
【０００９】
次に、本発明を図示の実施形態に基づいて詳細に説明する。
【００１０】
先ず、図２を参照して、本発明の冷暖房用鋼製パネル１の基本形態について、説明する。図２（ａ）は冷暖房用鋼製パネルの正面図、同図（ｂ）は（ａ）の断面図、同図（ｃ）は（ａ）の平面図である。
縦枠材２と横枠材３とを備えた枠形フレーム等の鋼製枠体４の片面に、頂部フランジ５とこれに接続する傾斜ウェブ６とその傾斜ウェブ６に接続する底部フランジ５とを備えた構造用面材としての薄鋼板製折板８を配置して、ドリルねじ９により前記鋼製枠体４に固定して薄鋼板製の鋼製パネル７が構成されている。
前記の薄鋼板製折板８における表面側の凹部１０と裏面側（枠材側）の凹部１０とに、ホースまたは管１１を折板巾方向全長に亘り這わせるように設けている。このようにすることで、ホースまたは管１１を薄鋼板製折板８に接触させ、薄鋼板製折板８に対する熱伝達をよくし、薄鋼板製折板８からの放熱または採熱を効率よく行えるようにしている。
前記の薄鋼板製折板８としては、板厚０．４ｍｍ〜２．３ｍｍ程度の薄板鋼板が用いられ、図示の形態では、板厚０．６ｍｍ前後の鋼板を折り曲げて、折板とし、構造用面材としている。
ホースまたは管１１は、必要に応じ、薄鋼板製折板８に粘着テープあるいは固着具により、薄鋼板製折板８に固定してもよい。
ホースまたは管１１は、薄鋼板製折板８の巾方向端部で折り返して、薄鋼板製折板の長さ方向で、前記ホースまたは管１１が交互に表側または裏側となるように設けられている。
前記ホースまたは管１１は、薄鋼板製折板８の巾方向端部で折り返す場合に、折板端部に切り欠きを設けて、ホースまたは管１１の折り返し部が、薄鋼板製折板８の平面内に収まるようにすると、床パネルまたは屋根パネル等として、敷き並べることも可能になる。
図示のように、ホースまたは管１１を、薄鋼板製折板８の巾方向端部外側で折り返すと、薄鋼板製折板８に、ホースまたは管１１用の開口部あるいは切り欠きを設ける必要がないから、ホースまたは管１１用の孔または開口部あるいは切り欠きを設けることによる耐力低下を起こすことがないため、壁パネル、床パネル、屋根パネル等の各種パネルとして有利である。
前記ホースまたは管１１が、屈曲可能な可撓性のホースまたは管１１である場合には、連続したホースまたは管１１の一端側を、薄鋼板製折板８の表側の凹部１０または裏側の凹部１０に交互に送り込むことで配設が容易である。
前記ホースまたは管１１は、薄鋼板製折板８に接触している状態が好ましい。
【００１１】
前記ホースまたは管１１が、屈曲可能な可撓性のホースまたは管１１でない場合には、管路途中の折り返し部に、適宜、ベンド管あるいはエルボ管あるいはニップルを設けて連続した管路となるようにされる。
【００１２】
前記ホースまたは管１１の薄鋼板製折板８に対する配設形態は、薄鋼板製折板８における一つ置きの表面側の凹部１０と、一つ置きの裏面側の凹部１０に交互に配置するような形態でもよい。ホースまたは管１１を薄鋼板製折板８におけるウェブに接するように配設してもよい。前記ホースまたは管１１としては、耐圧ゴム製ホースあるいは耐圧合成樹脂製ホース、鋼製あるいは銅製等の金属管あるいは合成樹脂製管を使用してもよい。
前記ホースまたは管１１の端部には、接続部２８が設けられ、接続部２８としては、ねじ接合によるねじ式接続部でもよく、他の公知の止水接続部でもよい。
前記ホースまたは管１１の一方の端部の接続部２８には、ヒートポンプからの配管または隣り合う冷暖房用鋼製パネル１における前記ホースまたは管１１が接続管等を介して接続され、また、他方の端部の接続部２８には、ヒートポンプへ戻る配管または隣り合う冷暖房用鋼製パネル１における前記ホースまたは管１１が接続管等を介して接続される。
【００１３】
前記の薄鋼板製折板８は、前記ホースまたは管１１内を流れる冷温水（冷水または温水）等の熱媒体により、ホースまたは管１１を介して熱伝達されて、薄鋼板製折板８に蓄熱されて、昇温または降温された薄鋼板製折板８から室内側に輻射による放熱または室内側からの採熱可能にされる。
【００１４】
前記の薄鋼板製パネルと、ホースまたは管１１とにより、冷暖房用鋼製パネル１が構成されている。
なお、薄鋼板製の枠体４に、ホースまたは管１１を設けた薄鋼板製折板８を取り付けて、冷暖房用鋼製パネル１を構成するようにしてもよい。
【００１５】
次に、図１を参照して、本発明の第１実施形態の冷暖房用鋼製耐力壁パネル１Ａについて説明する。
この冷暖房用鋼製耐力壁パネル１Ａは、図２の冷暖房用鋼製パネル１に、石膏ボード等の内装材あるいは耐候製外壁材等の外装材等を設けて、冷暖房用鋼製耐力壁パネル１Ａのユニットとした形態である。したがって、図２と同様な部分については、同様な符号を付して、相違する部分を主に説明する。なお、内装材の室内側表面には化粧材（板）等を設置することもできる。
図１（ｂ）に示すように、薄鋼板製折板８と反対側の枠材２，３に、断熱材１２が配置され、その外側に外装材１３が配置され、外装材１３と断熱材１２は、ドリルねじ９により枠材２，３に固定されている。前記の外装材１３は室外側に設けられ、また、薄鋼板製折板８には、内装材１４がドリルねじ９により薄鋼板製折板８または枠材２，３に固定されている。このような形態であると、断熱材１２により熱が室外に逃げるのを抑制することができる。
【００１６】
図３は、本発明の第２実施形態の冷暖房用鋼製耐力壁パネル１Ａであり、図１の変形形態である。
薄鋼板製折板８と反対側の枠材２，３に、内装材１４がドリルねじにより枠材２，３に固定されている。薄鋼板製折板８の外側に断熱材１２が配置され、その外側に外装材１３が配置され、外装材１３と断熱材１２は、ドリルねじ９により薄鋼板製折板８または枠材２，３に固定されている。
前記のような冷暖房用鋼製耐力壁パネル１Ａでは、これを建物に組み込む場合に、横方向に間隔をおいて冷暖房用鋼製耐力壁パネル１Ａを設ける場合には、ホースまたは管１１を、冷暖房用鋼製耐力壁パネル１Ａの外側に張り出していても、仕上げ壁材を適宜設置することで隠すようにすればよい。
【００１７】
次に、図４を参照して、本発明の第１実施形態の冷暖房用鋼製耐力壁パネル１Ａにおける配管を固定する形態について説明すると、ホースまたは管１１を、薄鋼板製折板８に保持させる場合に、ホースまたは管１１を薄鋼板製折板８に配置した状態で、ホースまたは管１１の直径程度の長半円状の溝を有する保持金具１５を、薄鋼板製折板８に接着材等により固定することで、ホースまたは管１１を薄鋼板製折板８の所定の位置に保持することができ、また、ホースまたは管１１を薄鋼板製折板８に接触させることも可能になる。保持金具１５は、設計により適宜設置するようにすればよい。
【００１８】
次に、図５を参照して、本発明の第３実施形態の冷暖房用鋼製床パネル１Ｂについて説明する。この形態では、建物における最下階の床用パネルとして好適な形態であり、リップ付き溝形鋼を用いた枠材２における形鋼の梁せいが高くされて、横方向に延長するように配置されている。
この冷暖房用鋼製床パネル１Ｂでは、枠材２，３の下側に断熱材１２が配置されて、ドリルねじ９により枠材２，３に固定され、薄鋼板製折板８の上側に、床仕上げ材１６Ａが、ドリルねじ９により、薄鋼板製折板８または枠材２，３に固定されている。この形態では、枠材２，３の下側に断熱材１２が配置されているので、床下に熱が逃げないようにされ、室内側の冷暖房効率が向上するようにされている。その他の冷暖房用鋼製パネルの部分は、図２の場合と同様であので、同様な部分については、同様な符号を付している。
【００１９】
図６は、本発明の第４実施形態の冷暖房用鋼製屋根パネル１Ｃを示すものであって、薄鋼板製折板８の上側に断熱材１２が載置され、その上に、屋根仕上げ材１６Ｂが載置され、ドリルねじ９により、薄鋼板製折板８または枠材２，３に固定されている。この形態では、屋根側に熱が逃げないようにされ、室内側の冷暖房効率が向上するようにされている。その他の冷暖房用鋼製パネルの部分は、図２の場合と同様であので、同様な部分については、同様な符号を付している。
【００２０】
図７は、本発明の第５実施形態の冷暖房用鋼製床パネル１Ｂを示すものであって、枠材２，３の上側に床仕上げ材１６Ａが載置されて、ドリルねじ９により枠材２，３に固定され、薄鋼板製折板８の下側に天井仕上げ材１７が配置されて、ドリルねじ９により薄鋼板製折板８または枠材２，３に固定されている。この形態では、断熱材１２を備えていないので、ホースまたは管１１からの熱伝達等により薄鋼板製折板８を介して、天井仕上げ材１７あるいは枠材２，３上の床仕上げ材１６Ａが昇温または降温されて、下階側の室内または上階側の室内の冷暖房効率が向上するようにされている。
【００２１】
次に、図１に示す冷暖房用鋼製耐力壁パネル１Ａと、図５及び図７に示す冷暖房用鋼製床パネル１Ｂと、図６に示す冷暖房用鋼製屋根パネル１Ｃとを組み込んだスチールハウスからなる建築物１８を図９および図１０に示す。図９と図１０の相違点は、図９では、冷暖房用鋼製屋根パネル１Ｃを傾斜配置して三角屋根の形態とし、図１０では、冷暖房用鋼製屋根パネル１Ｃを水平配置して陸屋根（フラット屋根）の形態としている点で相違しているが、その他の構成は同様である。
図９および図１０に示す実施形態では、コンクリート基礎１９上に、木製角材からなる土台２０が設置され、その上に第１の端根太２１および図５に示す冷暖房用鋼製床パネル１Ｂが設置され、その上に、図１に示す冷暖房用鋼製耐力壁パネル１Ａがランナー材等を介して立設され、その上に、２階の第２の端根太２１が設置され、前記２階の端根太２１に支持させるように適宜支持金具（図示を省略）を介在させて、図７に示す冷暖房用鋼製床パネル１Ｂが設けられ、次いで、図１に示す冷暖房用鋼製耐力壁パネル１Ａがランナー材等を介して立設され、その上に第３の端根太２１が設置され、その第３の端根太２１に支持させるように適宜支持金具（図示を省略）を介在させて、適宜、図７に示す冷暖房用鋼製床パネル１Ｂが設けられている。
【００２２】
本発明の前記実施形態では、建物の構造躯体を利用して、薄鋼板製折板８の表裏両面の凹部を利用して配管を可能にしていると共に、薄鋼板製折板８から熱輻射による放熱および室内気中からの採熱を可能にし、室内の冷暖房を可能にしている。
【００２３】
前記の第３の端根太２１あるいは冷暖房用鋼製床パネル１Ｂに支持させるように、適宜支持金具を介在させて、図６に示す冷暖房用鋼製屋根パネル１Ｃが設置された建築物１８とされている。
前記の冷暖房用鋼製床パネル１Ｂ、冷暖房用鋼製耐力壁パネル１Ａ、冷暖房用鋼製屋根パネル１Ｃは、適宜並べて設置され、冷暖房用鋼製床パネル１Ｂ、冷暖房用鋼製耐力壁パネル１Ａ、冷暖房用鋼製屋根パネル１Ｃのホースまたは管１１は、適宜、直列または並列して連結される。
直列に連結された冷暖房用鋼製パネル１のグループは、一つの冷暖房用鋼製パネル群を形成して、ヒートポンプ２２に送り出し管路２３および戻り管路２５を介して接続され、また、前記ヒートポンプ２２は、地中熱交換器２４に管路２５を介して接続され、地中熱交換器２４と地中との間で熱交換可能にし、地中熱交換器２４により、温度が安定している地中に放熱または地中から採熱可能にされている。
前記の地中熱交換器２４の周囲地盤２６には、地中熱交換器２４を囲むように所定の深さまで断熱層を地中に設けて、蓄熱または採熱を効率よく行えるようにしている。
前記の地中熱交換器２４に代わり、気中の地盤上にラジエーター（図示を省略）を設けて、ヒートポンプ２２とラジエーターを管路により接続し、気中とラジエーター間で熱交換可能にして、気中に放熱または気中から採熱可能にしてもよい。
【００２４】
前記のような建築物１８における冷暖房用鋼製パネル１では、薄鋼板製折板８が室内側に配置され、薄鋼板製折板８が室内側に露出または仕上げ用の内装材により覆われ、熱媒体が流されたホースまたは管から熱伝達された薄鋼板製折板８により、室内側に輻射熱を輻射可能な冷暖房用鋼製パネルとされている。
【００２５】
また、薄鋼板製折板８の室外側に断熱材１２が設置されて、熱媒体が流されたホースまたは管１１から熱伝達された薄鋼板製折板８からの輻射熱が室外側に放出されるのを防止可能な冷暖房用鋼製パネル１となっている。
【００２６】
前記のヒートポンプ２２を駆動させるために、図８に示すように、太陽電池パネル２７により発電して、その電力によりヒートポンプ２２を駆動すればよい。太陽電池パネル２７は、冷暖房用鋼製屋根パネル１Ｃ上または壁面に設置するようにしてもよい。
【００２７】
前記のような冷暖房用鋼製パネルを備えた建築物１８では、冬季（夏季）において、地中から地中熱交換器２４により採熱（または放熱）して、冷暖房用鋼製パネル１のホースまたは管１１に、昇温（冷却）された水あるいはガス等の熱媒体を流し、ホースまたは管１１から薄鋼板製折板８に熱伝達し、薄鋼板製折板８に伝達または蓄熱された冷温熱を、薄鋼板製折板８から建物の室内に輻射することにより、室内の温熱環境を安定させることができる冷暖房システムとすることができる。
また、図８または図９（図１０）に示すように、建築物１８における冷暖房用鋼製パネル１のホースまたは管１１を、ヒートポンプ２２に接続し、そのヒートポンプ２２を介して、地中熱交換器２４により地中またはラジエーターにより空気中に、放熱または地中または空気中から採熱可能な冷暖房システムとすることも可能になる。
さらに、ヒートポンプ２２を駆動する動力を、建築物１８に設置した太陽電池パネルを用いた発電により駆動すると、外部電力、化石燃料等を一切利用しないので、自然環境を破壊することがなく、省エネネルギー対策にもなり、また、二酸化炭素を排出しないので、省ＣＯ２にもなり、地球温暖化を防止できる建築物の冷暖房システムとなっている。
【００２８】
また、前記のような冷暖房システムを備えた建築物では、冷暖房用鋼製パネル１を利用して、室内を冷暖房することができ、建物の壁・屋根・床を含む構造躯体全体から冷暖房することができ、室内内面を形成している内面全体の冷暖房用鋼製パネル１から室内を冷暖房することができる。
また、前記のような冷暖房用鋼製パネルを各種パネル（壁パネル、床パネル、屋根パネル）に用い、これを建築物の各部（壁、床または屋根）に用いた建築物の冷暖房システムでは、薄鋼板製折板における表面側の凹部と裏面側の凹部とに、ホースまたは管を折板巾方向全長に亘り這わせるように設けると共に、折板巾方向端部（外側）で折り返すことで、折板に配管用の孔を開設しないようにされており、そのため、折板に断面欠損となる配管用の孔を設けることによる、折板を面材として用いた冷暖房用鋼製パネルを備えた壁，床または屋根の面内せん断耐力を低下させないようにされた建築物の冷暖房システムとすることができる。
【００２９】
なお、室内空気を攪拌させる場合には、太陽電池パネル２７により、送風機等を駆動させてもよい。
【００３０】
本発明を実施する場合、ドリルねじに代えて、釘等の他の公知の固着具を用いるようにしてもよい。
【００３１】
前記実施形態では、薄鋼板製折板８における内装材１４側の凹部１０と外装材１３側の凹部１０に、交互にホースまたは管１１を配置する形態を示したが、本発明を実施する場合、熱媒体が流されるホースまたは管１１を、薄鋼板製折板８における内装材１４側の凹部１０と外装材１３側の凹部１０のすべてに這わせなくてもよく、例えば、図１１に代表形態として示す冷暖房用鋼製耐力壁パネル１Ａのように、端部側と中間部の凹部１０にホースまたは管１１を一つまたは２つ置きの凹部１０に配置するようにしてもよい。接続部２８を薄鋼板製折板８から離れた位置に設けるようにしてもよい。
また、図示を省略するが、薄鋼板製折板８にホースまたは管１１を配置する形態として、内装材１４側の凹部１０にのみ配置する形態でもよく、外装材１３側の凹部１０にのみ配置する形態でもよく、さらに、薄鋼板製折板８に対するホースまたは管１１の配置間隔は設計により適宜設定される。
なお、図１０に示すように陸屋根形態とする場合には、適宜、冷暖房用鋼製屋根パネル１Ｃ上を舗装すると共に陸屋根の周囲に、冷暖房用鋼製屋根パネル１Ｃ等に手摺を立設することで、屋上を設けるようにしてもよい。
【符号の説明】
【００３２】
１  冷暖房用鋼製パネル
１Ａ  冷暖房用鋼製耐力壁パネル
１Ｂ  冷暖房用鋼製床パネル
１Ｃ  冷暖房用鋼製屋根パネル
２  縦枠材
３  横枠材
４  鋼製枠体
５  頂部フランジ
６  傾斜ウェブ
７  鋼製パネル
８  薄鋼板製折板
９  ドリルねじ
１０  凹部
１１  ホースまたは管
１２  断熱材
１３  外装材
１４  内装材
１５  保持金具
１６Ａ  床仕上げ材
１６Ｂ  屋根仕上げ材
１７  天井仕上げ材
１８  建築物
１９  コンクリート基礎
２０  土台
２１  端根太
２２  ヒートポンプ
２３  送り出し管路
２４  地中熱交換器
２５  戻り管路
２６  地盤
２７  太陽電池パネル
２８  接続部
【図１】
0005509857.tif 000002
【図２】
0005509857.tif 000003
【図３】
0005509857.tif 000004
【図４】
0005509857.tif 000005
【図５】
0005509857.tif 000006
【図６】
0005509857.tif 000007
【図７】
0005509857.tif 000008
【図８】
0005509857.tif 000009
【図９】
0005509857.tif 000010
【図１０】
0005509857.tif 000011
【図１１】
0005509857.tif 000012